(57)【特許請求の範囲】
【請求項１】
水平軸心周りに回動可能な軸支構造を有し、同回動を仮固定し、底面角度を調節可能とする回動仮固定用ネジを設けてなる接地体が下端に組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に適宜仮り固定機構を組み込み、丈調節側柱体の軸方向位置を随時仮り固定可能にしてなることを特徴とする、玄関ポーチなど建造物迫り出し構造部用柱位置の割出し具。
【請求項２】
下端に底面角度調節可能な構造で接地体が組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に適宜仮り固定機構を組み込み、丈調節側柱体の軸方向位置を随時仮り固定可能にしてなることを特徴とする、玄関ポーチなど建造物迫り出し構造部用柱位置の割出し具。
【請求項３】
水平軸心周りに回動可能な軸支構造を有し、同回動を仮固定し、底面角度を調節可能とする回動仮固定用ネジを設けてなる接地体が下端に組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に、丈調節側柱体の一側壁面を略直交状に貫通する進退仮固定用ネジと、据置き側柱体滑動案内用柱部の一側壁面に形成され、該進退仮固定用ネジ先端の滑動方向への移動を可能とする長孔または溝、および同滑動案内用柱部内にあって進退仮固定用ネジの先端側に螺着する仮固定用締付片とからなる仮り固定機構を組み込み、丈調節側柱体の軸方向位置を随時仮り固定可能にしてなることを特徴とする、玄関ポーチなど建造物迫り出し構造部用柱位置の割出し具。
【請求項４】
水準器、採寸器等の計測機器、および／または照明器具等の作業用機器を適宜手段で組み込んでなる、請求項１ないし３何れか記載の玄関ポーチなど建造物迫り出し構造部用柱位置の割出し具。
【請求項５】
水準器、採寸器等の計測機器、および／または照明器具等の作業用機器が、柱取付幅調節機構を有する柱体装着部、および、水準器等各種計測機器取付幅調節機構を有する計測機器装着部を設けてなる水準器等用仮着金具を介して、着脱自在に装着されてなる、請求項１ないし３何れか記載の玄関ポーチなど建造物迫り出し構造部用柱位置の割出し具。
【請求項６】
一側面には、仮固定部の並設された柱取付幅調節機構を有する柱体装着部を形成し、他側面には、仮固定部の並設された計測機器取付幅調節機構を有する計測機器類装着部を設け、柱体装着部への柱の取付き、および計測機器類装着部への各種計測機器類の取付きが、夫々の柱取付幅調節機構または計測機器取付幅調節機構の調節作動で仮着状とされた上、その仮着状態を、夫々の仮固定部で固定、維持する如くしたことを特徴とする、請求項１ないし５何れか記載の玄関ポーチなど建造物迫り出し構造部用柱位置の割出し具に使用する水準器等用仮着金具。
【請求項７】
柱状体を挟み込み可能な一対の挟着片を設けると共に、これら挟着片の中の何れか一方の背面には、挟着方向に弾発力が付勢されて進退移動可能とするようにしたバネ体からなる柱取付幅調節機構に、それと同一方向に進退自在となる締付けネジからなる仮固定部を並設してなる柱体装着部を一側面に形成する一方、他側面には、各種計測機器類を挟持可能な一対の挟着片を設けた上、それら挟着片の何れか一方を、挟着方向に弾発力が付勢されたバネ体からなる計測機器類取付幅調節機構で進退移動可能にすると共に、それと同一方向に進退自在となる締付けネジからなる仮固定部を並設してなる計測機器類装着部を形成し、柱体装着部への柱の取付き、および計測機器類装着部への各種計測機器類の取付きが、夫々の柱取付幅調節機構または計測機器取付幅調節機構の調節作動で仮着状とされた上、その仮着状態を、夫々の仮固定部で固定、維持する如くしたことを特徴とする、請求項１ないし５何れか記載の玄関ポーチなど建造物迫り出し構造部用柱位置の割出し具に使用する水準器等用仮着金具。
【発明の詳細な説明】
【０００１】
【発明の目的】
この発明は、建築物に柱部材を正確に設置する上で有用な柱位置の割出し具に関するものであり、特に、増改築工事等の対象となることの多い迫り出し屋根部分を有する玄関ポーチ、サンルーム、テラスおよび軒先等の構造部分において、それら迫り出し屋根部分を支持する柱の設置位置および垂直姿勢等の柱位置を正確に割り出すことを可能とする新規な構造からなる玄関ポーチなど建造物迫り出し構造部用柱位置の割出具、およびそれに使用する水準器等用仮着金具を提供しようとするものである。
【０００２】
【従来の技術】
玄関ポーチ周りのガラス張り施設やサンルーム等の多くは、既に建築された様々な様式の家屋に対する増改築として施工されることが多く、アルミ合金製の組立材を巧みに加工し、設置対象となる建造物に、雨漏りや風が侵入しないよう隙間なく取り付ける必要があり、既存のコンクリート製テラスや束石等からなる基礎部分と軒下との間に垂直な柱を正確に設置するには、柱の設置位置に従って、梯子や脚立等を利用して軒下に下げ糸を垂れ、柱の据え置き位置を確定した後、各部の採寸を正確に行って構造図を作成した上、その寸法や構造どおりに組み立て材料を加工し、施工するといった工程を踏まなければならず、これら一連の作業工程を正確且つ効率的に実施するためには、長年に渡る豊富な経験と高度な技術とが求められるが、最近のように熟練技能者がなかなか育たないという事情から、経験の乏しい作業者でも現場を預けざるを得ず、そのような場面では、往々にして柱の上端面と軒下面との間に僅かな隙間が生じてガタついたり、柱の下端面の傾斜角度とテラス等のコンクリート打設部分の水垂れ勾配とを一致させることができず、再度加工し直すか、柱を多少なりとも傾けて立設せざるを得なくしてしまう等といった不都合を生じていた。
【０００３】
このような不都合を解消しようとすれば、柱材の両端に仕上げ代を残して切り出し、柱の設置箇所毎に現場で複数回に渡って加工調整しながら、最終的な長さと端面仕上げとを決定するという地道な作業を繰り返すことによって実施できなくもないが、それには作業も繁雑で、しかもあまりに時間を要し過ぎ、工期を長期化してしまうという欠点があることから、通常ではそのような作業工程は採らず、計測後の構造図に従って予め工場加工による切り出しを終えて現場搬入となり、現場組立ての結果で隙間や傾きを生じてしまうような場合には、柱を立てる側の束石を交換してしまうとか、設置箇所にモルタルを上塗り、盛り上げ、その硬化を待って設置したり、あるいは、既存構造物の間に適宜スペーサーを介在して判らないようにように調整、仕上げてしまう等といった対策に頼ることとなり、どうしてもそのような対応で済まされないとき等には、止むなく自腹を切って新たに加工し直した上、部材を丸毎交換せざるを得なくなる等といった事態に陥ることもあり、何れにしても工期は遅延し、経済効率を落としてしまう結果に繋がることとなる。
【０００４】
豊富な経験を積んだ作業者の場合であったり、あるいは、自らの周到で正確な採寸による構造図から切り出した柱であれば、決して上記のような結果に至ることはないものの、それでも現場における採寸には、未だに旧態依然とした下げ振りと水準器とに頼っているため、既存建築物の現場環境が採寸に適していなかったり、偶々強風に見舞われてしまったりすると、それまでの熟練技能を以てしても役に立たず、現場環境を整えるといった余分な前作業をしなければならなかったり、あるいは日を改め、後日天候を見計らって出直し、採寸し直さなければならないことになる等といった羽目に会うことも頻発することから、やはり予定した工期に従った計画的な施工を実施する上では、自らの技能で補いきれない部分で相当の苦労を強いられてしまっているのが現状である。
【０００５】
この発明は、以上のように既に建築済みの建造物に対する増改築に伴って必要となる柱増設作業の困難さのため、これまで長期に渡って効率的な採寸や施工が行なわれず、満足の得られる施工を実現するには、高い熟練と多大な労力とを要してきた事情に疑問を抱き、増設する柱の正確な採寸作業および効率的で確実な設置を実現する上で、それら柱設置箇所の計測や計測結果に基づく柱素材の加工、および施工の改善ができないものかとの判断から、逸速くその開発、研究に着手し、長期に渡る試行錯誤と幾多の試作、実験とを繰り返してきた結果、今回、遂に柱の設置箇所の計測、および設置する柱の寸法の採寸を正確かつ速やかに測定し、柱設置位置を迅速に決定できる新規な構造の玄関ポーチなど建造物迫り出し構造部用柱位置の割出し具、およびそれに使用する水準器等用仮着金具を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含される玄関ポーチなど建造物迫り出し構造部用柱位置の割出し具は、基本的に、水平軸心周りに回動可能な軸支構造を有し、同回動を仮固定し、底面角度を調節可能とする回動仮固定用ネジを設けてなる接地体が下端に組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に適宜仮り固定機構を組み込み、丈調節側柱体の軸方向位置を随時仮り固定可能にしてなるようにした構成を要旨とする玄関ポーチなど建造物迫り出し構造部用柱位置の割出し具である。
【０００７】
更に、上記のとおりの構成を基本的とするこの発明の玄関ポーチなど建造物迫り出し構造部用柱位置の割出し具には、水平軸心周りに回動可能な軸支構造を有し、同回動を仮固定し、底面角度を調節可能とする回動仮固定用ネジを設けてなる接地体が下端に組み込まれ、上端には同心状に滑動案内用柱部を延設、一体化してなる据置き側柱体と、上端に天面角度調節可能な構造で当接体が組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に適宜仮り固定機構を組み込み、丈調節側柱体の軸方向位置を随時仮り固定可能にしてなる構成を要旨とする玄関ポーチなど建造物迫り出し構造部用柱位置の割出し具を包含する。
【０００８】
また、同様に、下端に底面角度調節可能な構造で接地体が組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に適宜仮り固定機構を組み込み、丈調節側柱体の軸方向位置を随時仮り固定可能にしてなる構成を要旨とする玄関ポーチなど建造物迫り出し構造部用柱位置の割出し具が包含されている。
【０００９】
そして、上記のとおりの基本的な構成からなるこの発明の玄関ポーチなど建造物迫り出し構造部用柱位置の割出し具に包含されるものとして、より具体的な構成のもので示せば、次のとおりのものとなる。
即ち、下端に底面角度調節可能な構造で接地体が組み込まれ、上端には同心状に滑動案内用柱部を延設、一体化してなる据置き側柱体と、上端に天面角度調節可能な構造で当接体が組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に、丈調節側柱体の一側壁面を略直交状に貫通する進退仮固定用ネジと、据置き側柱体滑動案内用柱部の一側壁面に形成され、該進退仮固定用ネジ先端の滑動方向への移動を可能とする長孔または溝、および同滑動案内用柱部内にあって進退仮固定用ネジの先端側に螺着する仮固定用締付片とからなる仮り固定機構を組み込み、進退仮固定用ネジの締付けにより、丈調節側柱体の軸方向位置を随時仮り固定可能にしてなる玄関ポーチなど建造物迫り出し構造部用柱位置の割出し具である。
【００１０】
また、同様で且つより望ましい構成のものとして、水平軸心周りに回動可能な軸支構造を有し、同回動を仮固定し、底面角度を調節可能とする回動仮固定用ネジを設けてなる接地体が下端に組み込まれ、上端には同心状に滑動案内用柱部を延設、一体化してなる据置き側柱体と、水平軸心周りに回動可能な軸支構造を有し、同回動を下端側から遠隔操作および仮固定操作可能とする遠隔操作機構を設けてなる当接体が上端に組み込まれ、下端側が連結部に形成されてなる丈調節側柱体とからなり、据置き側柱体の滑動案内用柱部に対し、丈調節側柱体が、その下端の連結部を嵌合、一本化して軸方向に進退自在にすると共に、丈調節側柱体と据置き側柱体滑動案内用柱部との間に、丈調節側柱体の一側壁面を略直交状に貫通する進退仮固定用ネジと、据置き側柱体滑動案内用柱部の一側壁面に形成され、該進退仮固定用ネジ先端の滑動方向への移動を可能とする長孔または溝、および同滑動案内用柱部内にあって進退仮固定用ネジの先端側に螺着する仮固定用締付片とからなる仮り固定機構を組み込み、丈調節側柱体の軸方向位置を随時仮り固定可能にしてなる構成を要旨とする、玄関ポーチなど建造物迫り出し構造部用柱位置の割出し具も包含している。
【００１１】
据置き側柱体は、柱位置の割出しの際に接地、据え置きされ、後述する丈調節側柱体を上下進退自在に支持する機能を果たすものであり、上端に同心状の丈調節側柱体を進退自在に支持する滑動案内用柱部を固着するに充分な強度をもって構成しなければならず、下端には、据え置き接地面に沿って底面角度を調節可能とするよう回動あるいは揺動自在に構成すると共に、必要に応じ、これらの回動あるいは揺動を一時的に仮固定可能とする構造を併設してなる、後述の接地体が組み込まれる。
【００１２】
滑動案内用柱部は、この据置き側柱体の一部であって、該据置き側柱体に対し、後述の丈調節側柱体を進退摺動自在且つ同心状に連結する部分として機能するものであり、丈調節側柱体を鉛直方向に伸縮張設するための滑動を可能とする案内構造、即ち、据置き側柱体に対する丈調節側柱体の円滑な伸縮滑動がなし得る構造、例えば滑動可能な密着状として一方が他方に挿入または被冠されるようにする外、滑動可能な密着状か、やや間隙を置いた遊嵌状で、単数または複数のレールあるいはそれに相当する凸条としたり、逆に単数または複数の溝あるいはそれに相当する凹欠部等とした上、それら凸条または凹欠部に丈調節側柱体の一部が嵌合状となるようにした構造等に形成され、したがって、滑動案内用柱部は、丈調節側柱体の内側に挿入状となるものとしたり、または、丈調節側柱体の外側に被冠状のものとすることも可能であって、しかも、丈調節側柱体の摺動進退を仮固定する仮固定機構の一部または全部を設けたものとし、延伸の際に丈調節側柱体が据置き側柱体上端から不用意に脱落してしまうことのないよう脱落防止用係止構造を併設したものとする極めて好都合のものとなる。
【００１３】
接地体は、上記したとおり、据置き側柱体の下端に装着され、据え置き接地面の傾斜角度に係わらず、垂直姿勢とした据置き側柱体下端全面を据え置き接地面に当接状とするため、その底面角度を調節し、据置き側柱体の軸心に対する底面角度を割り出し、下端面角度を検出する機能を果たすものであり、据置き側柱体を含む上部構造部分の全ての荷重を支えるに充分な強度を有するものでなければならず、底面部分に接地用の軟質樹脂や合成ゴム等からなる緩衝部材を設けたり、確実な据え置きを可能とする滑り止め用の凹凸を形成することもできる外、据え置きを安定するよう、据置き側柱体の平面形状よりも大きな接地面積を有するものとすることも可能であり、例えば、据置き側柱体の水平方向左右側夫々から一対のネジが同心状に挿通され、接地体を据置き側柱体に軸着すると共に、これら一対のネジを緩めることにより、同ネジを軸心として接地体を揺動させ、底面角度を調節可能とし、ネジを締め付けることによって接地体を所望する角度に仮固定できるよう構成したものとする外、左右に対象形状に設けられた円弧状レール溝に該接地体の突起部を嵌合状として揺動するようにし、所望する状態でネジ頭を当接、押圧して一時的に固定する構造等を介して組み込むようにするとよい。
【００１４】
また、この接地体は、据置き側柱体に対し、該据置き側柱体を略水平に貫通するか、あるいは水平状に一体化された円柱状または円管パイプ状の支軸材部を使って軸支される構造とする外、据置き側柱体に水平状に貫通する一本または二本一対で同心状配置となるネジ部材を回動の中心部分に貫通あるいは螺着したものとしたり、据置き側柱体の外側に水平同心状配置となるよう突設された左右一対の凸状部に、据置き側柱体外側に装着する接地体の左右側壁に夫々形成された円弧状の揺動案内溝を摺動自在に嵌着することにより、仮想軸心を中心として接地体が、揺動するよう装着したものとすることもできる。
【００１５】
一方、丈調節側柱体は、上記のような構成からなる据置き側柱体の上方に組み合わされ、全体としてこの発明の割出し具を構成するためのもう一方の主要部材であり、前記した滑動案内用柱部の軸方向に沿って進退移動し、この発明の割出し具の背丈を、適宜寸法に変更、調節すると共に、その上端を軒下その他の支持部に当接状とし、前記した接地体と相俟って自立状とする機能を果たすものであって、不用意な湾曲や座屈等の変形を防止する程度の強度を有すると共に、軒先と地上との間に張設、設置された場合にも変形せず、自立可能な程度の強度を確保したものとしなければならず、滑動案内用柱部が滑動自在に挿入される筒状のものに形成したり、あるいは筒状に形成された滑動案内用柱部内に挿入される棒柱状のもので、双方が滑動可能な程度の間隙を置いて略全面当接状となるようにしたものに形成する外、滑動案内用柱部の一外側面に凸条をなすレール部あるいは凹溝状の案内溝部を形成し、該案内部分に対して、丈調節側柱体の一外側面に形成された溝部あるいは凸部が摺動自在に嵌合し、滑動案内用柱部の軸心方向に滑動可能に構成することもできる。また、下端側に設けられた連結部には、充分な連結強度を確保する必要があり、滑動移動中の適宜位置でネジによる締め付けやクランプ機構等によって仮固定する仮固定機構を設ける必要があり、さらに、上端部には、回動または揺動によって天面角度の調節が可能な当接体を設けたものとすべきである。
【００１６】
この丈調節側柱体適所に用意される仮固定機構は、滑動案内用柱部に対し、丈調節側柱体を所望する任意位置で一時的に固定し、この発明の割出し具の全長を確定する機能を果たすものであり、充分な強度で仮固定可能な構造を有することを必要とし、仮固定および仮固定の解除を迅速に行うことのできる機構を採用するのが望ましく、例えば、ネジの螺合および螺解によって仮固定および固定解除を行うようにしたものや、梃子の原理を利用したレバー型の締め付け具、あるいは、永久磁石を用いて、これを着脱操作することにより、一時的な吸着、固定および離脱を可能とするようにしたもの等、適宜公知の仮固定手段の中から最適な機構、構造を利用することができる。
【００１７】
当接体は、丈調節側柱体の上端に装着され、軒下面や天井面等適宜支持部の下側面に当接し、その天面角度を自在に変更して支持部下面角度に適応可能となるようにする機能を果たすものであり、所定角度範囲内で揺動または回動するよう構成することを必要とすると共に、任意角度位置に適宜仮固定可能とする仮固定機能を備えたものとすべきであり、また、必要があれば丈調節側柱体の下端部、または滑動案内用柱部あるいは据置き側柱体の何れかの箇所から遠隔操作によってその仮固定がなし得るようにする遠隔操作機構を設けたものにするとよい。
なお、当接体天面には、当接する軒下面や天井面等を傷付けることを防止する軟質ゴム、軟質合成樹脂または板バネやコイルバネ等のスプリングを有する緩衝機構等を組み込むことも可能である。
【００１８】
さらに、当接体の仮固定のために必要に応じて採用される遠隔操作機構としては、丈調節側柱体下端側、滑動案内用柱部または据置き側柱体の何れかの箇所、または夫々２箇所以上の箇所から、該当接体を回動あるいは揺動操作して当接体の天面角度を変更し得るようにした、例えば、丈調節側柱体を長手方向に貫き、上端を当接体に連結あるいは当接した操作杆の下端を上下進退操作する操作ノブを設けると共に、操作杆を仮固定可能な仮固定機構を有したものとする外、上端を当接体に連結あるいは当接した操作杆にラック・アンド・ピニオン機構を設け、該ピニオンである小歯車を操作ノブを介して回動操作し、操作杆を上下進退移動可能に構成すると共に、該操作ノブの回動を仮固定する仮固定機構を設けたものとして構成することも可能である。
【００１９】
以上のような構成からなる据置き側柱体および丈調節側柱体は、この発明の割出し具として平均的に必要となる高さ寸法に対して適応可能となる適宜長さ寸法のもの、例えば、必要と想定される高さの１／２よりもやや長い同等の長さの組合せによるものとしたり、据置き側柱体および丈調節側柱体の何れか一方を主体としてそれを平均的に必要となる高さ寸法に略近い長さのものに設定し、他方の短く設定した側で必要高に対応できるようにしたものとする等、適宜長さによる組合せとすることができ、また、計測に便利なように、滑動案内用柱部の略全長に渡って寸法目盛りを表示したり、あるいは、据置き側柱体、滑動案内用柱部および丈調節側柱体の夫々の全長に渡って寸法目盛りを表示したものとすることにより、柱位置の割り出しと同時に、目盛りを読み取って柱長も割り出し可能となるようなものとする外、接地体や当接体についても、分度器目盛りを設けたものとすることにより、柱体軸心に対する回動角度が表示され、夫々の端面角度を測定可能となるようにしたものとすることもできる。
【００２０】
【関連する発明】
上記した玄関ポーチなど建造物迫り出し構造部用柱位置の割出し具に関連し、この発明にはその柱位置割出具に使用する水準器等用仮着金具も包含しており、その構成は、基本的に、一側面には、仮固定部の並設された柱取付幅調節機構を有する柱体装着部を形成し、他側面には、仮固定部の並設された計測機器取付幅調節機構を有する計測機器類装着部を設け、柱体装着部への柱の取付き、および計測機器類装着部への各種計測機器類の取付きが、夫々の柱取付幅調節機構または計測機器取付幅調節機構の調節作動で仮着状とされた上、その仮着状態を、夫々の仮固定部で固定、維持する如くしたもので、前記した構成を要旨とするこの発明の玄関ポーチなど建造物迫り出し構造部用柱位置の割出し具に使用する水準器等用仮着金具である。
【００２１】
さらに、上記構成をより具体的なものとして示せば、柱状体を挟み込み可能な一対の挟着片を設けると共に、これら挟着片の中の何れか一方の背面には、挟着方向に弾発力が付勢されて進退移動可能とするようにしたバネ体からなる柱取付幅調節機構に、それと同一方向に進退自在となる締付けネジからなる仮固定部を並設してなる柱体装着部を一側面に形成する一方、他側面には、各種計測機器類を挟持可能な一対の挟着片を設けた上、それら挟着片の何れか一方を、挟着方向に弾発力が付勢されたバネ体からなる計測機器類取付幅調節機構で進退移動可能にすると共に、それと同一方向に進退自在となる締付けネジからなる仮固定部を並設してなる計測機器類装着部を形成し、柱体装着部への柱の取付き、および計測機器類装着部への各種計測機器類の取付きが、夫々の柱取付幅調節機構または計測機器取付幅調節機構の調節作動で仮着状とされた上、その仮着状態を、夫々の仮固定部で固定、維持する如くした構成を要旨とする水準器等用仮着金具とすることができる。
【００２２】
柱体装着部は、柱状体を左右から挟み込み水準器等用仮着金具を着脱可能に取り付け、固定する機能を果たすものであり、水準器等の各種計測機器を確実に柱状体に仮着、固定できる程度の取り付け強度を有すると共に、水準器を柱状体に対して正確に取り付け可能なものでなければならず、幅寸法の多少異なる柱体にも対応可能な柱取付幅調節機構、例えば、コイルバネ等を利用した弾性的な挟み込みによる仮着や、磁石を用いた吸着固定、あるいは、ネジによる締め付けを利用した仮着構造等を採用したものとした上、素手による操作が可能となるハンドルノブや操作レバー等を組み込んで柱取付幅を調節できるようにし、一々工具等を要しない使用ができるようにするのが望ましい。
【００２３】
計測機器装着部は、水準器、下げ糸、分度器、巻尺、物差し、拡大鏡、精密測量機器、および照明器具等の種々の機械、器具装置を取り付け可能にする機能を果たす部分であり、各種の機器を挟み込み、吸着、係着、嵌着等の構造によって着脱可能に添着し、機器の機能や性能を損ねることのないよう正確且つ確実に仮着できるものでなければならず、例えば水準器を仮着する場合には、柱状体の軸心に平行が保たれた状態に装着できるよう寸法精度を充分に確保したものとすべきであり、また、市販されている構造、形状の異なる各種水準器に対しても十分対応可能となるよう、各種計測機器取付用の幅調節機構を有したものとするのが望ましい。
【００２４】
この計測機器装着部に組み込まれる各種計測機器取付幅調節機構は、上記のとおり、形状、構造の異なる各種水準器に対応して挟み込み、固定可能とする機能を果たす部分であることから、水準器の適所を所定挟み込み幅範囲内で挟み込み、保持可能とする構成、例えば、固定片と移動片によって水準器を挟み込み、ネジによる締め付けによって固定するよう構成し、該移動片はコイルバネや板バネ等の付勢により、ネジによる締め付け前であっても、水準器を所定圧力で保持可能にするようにした構成のもの等とするとよい。
以下では、この発明が包含する技術的思想がより明確化するよう、図面に示すこの発明を代表する幾つかの実施例と共に、その構造について詳述していくこととする。
【００２５】
【実施例１】
図１の柱位置割出具の斜視図、図２の据置き側柱体の分解状態の斜視図、および図３の丈調節側柱体を分解した状態を示す柱位置割出具の斜視図に示される事例は、角柱形状に形成した基本的構成からなるこの発明に包含される柱位置割出具における代表的な一実施例を示すものである。
当該柱位置割出具は、滑動案内用柱部２を据置き側柱体１に同心状に取着、一体化し、該滑動案内用柱部２に丈調節側柱体４を進退可能に設けたものであり、滑動案内用柱部２と丈調節用柱体４との間には、丈調節用柱体４の進退移動を仮固定する仮固定機構５が設けられている。
【００２６】
据置き側柱体１は、両端を開口した矩形筒状に形成され、一側面の一端側を四角形状に切除し、該据置き側柱体１内に挿入可能な中空状柱材の両端を側面台形状となるよう切除して接地体３を形成すると共に、同接地体３の長側面が据置き側柱体１の四角形切除部分に対応するよう装着し、左右側面の短側面寄りに、据置き側柱体１の左右両側から軸支構造を形成する軸着用ネジ３１，３１を同心状に貫通、螺着した上、該接地体３の長側面略中央には、蟻溝状のＴ字形断面溝３２が上下に渡り形成され、同溝３２内に、回動仮固定用締付片３３を摺動自在に挿入し、据置き側柱体１一側面一端側の四角形切除部分近傍に外側から貫通した回動仮固定用ネジ３４を螺着したものとなっている。
【００２７】
そして、据置き側柱体１の他端には、同据置き側柱体１内に挿入可能な中空状柱材からなる所定寸法の滑動案内用柱部２の一端側を嵌合状に挿入し、複数本の固着用ネジ３５，３５，……によって一体に結合されており、該滑動案内用柱部２は、その一端を接地体３との緩衝を回避するよう傾斜状に切除し、他端が側面に対して直角状に切除され、一側面中央には長手方向の全長に渡ってＴ字形断面溝５２を形成している。また、滑動案内用柱部２のＴ字形断面溝５２に相当する据置き側柱体１の一側面他端側中央には、他端側に開口する長孔３５を形成している。
【００２８】
滑動案内用柱部２の他端には、同滑動案内用柱部２と同一の軸方向断面形状の中空状柱材からなる遠隔操作駒部６２および同遠隔操作駒部６２の一側面中央に結合され、下方に向かい延伸された遠隔操作杆部６３を有する遠隔操作機構６１を設け、該遠隔操作杆部６３を滑動案内用柱部２のＴ字形断面溝５２に摺動自在に挿入し、さらに、滑動案内用柱部２のＴ字形断面溝５２を通して遠隔操作用ノブ６４のネジ部が挿入、螺着されており、該遠隔操作用ノブ６４を据置き側柱体１の長孔３５の下端位置まで移動すると、遠隔操作駒部６２の下端が、滑動案内用柱部２の上端に当接するよう構成している。
【００２９】
さらに、この滑動案内用柱部２には、据置き側柱体１と同一断面の矩形筒状に形成された丈調節側柱体４を摺動自在に嵌合、装着し、該丈調節側柱体４の据置き側柱体１側端近傍には、滑動案内用柱部２のＴ字形断面溝５２に対応する２箇所に進退仮固定用ネジ５１，５１を貫通し、Ｔ字形断面溝５２内に挿通された仮固定用締付片５３，５３に夫々螺合したものとなっている。また、丈調節側柱体４の他端側は、据置き側柱体１とは反対側面が四角形状に切除され、中空状柱材の両端を側面台形状に切除してなる当接体６を長側面を該四角形状切除部分に対応するよう挿入し、丈調節側柱体４の左右外側から貫通する同心状一対の軸着用ネジ６１，６１の夫々を、左右側壁面の短側面近傍に水平に螺着し、遠隔操作機構６１の遠隔操作駒部６２上端が、当接体６の下端縁に当接可能に構成されている。
【００３０】
なお、必要があれば、図８の寸法目盛りを有する柱位置割出具の斜視図に示されるように、この玄関ポーチなど建造物迫り出し構造部用柱位置の割出し具は、据置き側柱体１、滑動案内用柱部２および丈調節側柱体４の夫々の同一側面に、長手方向の全長に渡って寸法目盛りを刻設表示し、伸縮操作した際の全長寸法や、任意の高さ位置までの寸法等を測定可能とするよう構成したものとすることもできる。
【００３１】
【実施例２】
図９の分解した水準器等用仮着金具の斜視図、図１０の水準器等用仮着金具の斜視図、および図１１の柱位置割出具に取り付けられる水準器等用仮着金具の正面図に示される事例は、この発明の玄関ポーチなど建造物迫り出し構造部用柱位置の割出し具に使用する水準器等用仮着金具の代表的な一実施例を示すものであり、市販の水準器を着脱自在に取り付け可能に構成したものである。
【００３２】
水準器等用仮着金具７は、一側面に柱取り付け幅調節機構８１を有する柱体装着部８を設け、他側面に各種計測機器取付幅調節機構９１を有する計測機器装着部９を設けたものであり、柱体装着部８は、取り付け対象となる柱状体幅寸法より大きく形成された平板状部８２の一端縁にＬ字型断面の挟着片８３を固着し、同挟着片８３の反対側端部には筐体状に形成され、所定距離を隔てた一対の調節締付用ネジ８４，８４が、挟着片８３に垂直状配置となるよう螺着した柱取り付け幅調節機構８１を形成し、該調節締付用ネジ８４，８４の先端部には、挟着片８３に対峙するＬ字型断面の移動側挟着片８５を設けると共に、該移動側挟着片８５背面には、先端側を前記筐体状側に挿入したコイルバネ８６，８６が緩装された一対の案内軸８７，８７を立設し、移動側挟着片８５を所定の不勢力により、挟着片８３に向けて弾性的に押圧するよう構成されている。また、移動側挟着片８５には、平板状部８２に形成され、移動側挟着片８５の移動方向に長い一対の長孔８８，８８を貫通する案内用ネジ８９，８９を螺着し、移動側挟着片８５を平板状部８２対して摺動自在に連結したものとなっている。
【００３３】
中間板部７１を挟む柱体装着部８の反対側面には、同柱体装着部８の平板状部８２と略等しい幅に設定された計測機器装置部９の平板状部９２が接合され、一端縁にＬ字型断面に形成されて水準器７２の一側を保持する挟着片９３を固着し、該挟着片９３の反対側端縁には、一対の筐体状部分の夫々に、調節締付用ネジ９４，９４を夫々貫通状に螺合してなる各種計測機器取付幅調節機構９１を形成し、調節締付用ネジ９４，９４の夫々には、コイルバネ９５，９５を緩装した案内軸９６，９６が平行状に設けられ、これら調節締付用ネジ９４，９４および案内軸９６，９６の先端側には、平板状部９２に摺動方向に沿って穿設された長孔９７，９７を貫通した案内用ネジ９８，９８を螺合してなる移動側挟着片９９を設けたものとなっている。
【００３４】
なお、上記した柱取り付け幅調節機構８１および各種計測機器取付幅調節機構９１の夫々に設けられた案内用ネジ８９，８９，９８，９８の各頭部は、中間板部７１に夫々対応するよう配置、形成した長孔に摺動自在に挿入し、組み立てられている。
【００３５】
【作  用】
以上のとおりの構成からなるこの発明の玄関ポーチなど建造物迫り出し構造部用柱位置の割出し具は、図１の斜視図に示されるように、進退仮固定用ネジ５１，５１を緩め、丈調節側柱体４を滑動案内用柱部２に対して滑動し、全長を自在に伸縮させ、所望する高さ位置で進退仮固定用ネジ５１，５１を締め付けると、その高さ寸法のままに仮固定される。
【００３６】
また、図４の接地体の角度変更操作を受ける据置き側柱体の断面図、および図５の接地体の角度変更を受けた据置き側柱体の断面図のように、回動仮固定用ネジ３４を緩めると、回動仮固定用締付片３３がＴ字形断面溝３２に対して滑動自在な状態となり、接地体３の軸着用ネジ３１，３１を中心とする回動が可能となって接地体３を所望する接地面角度に回動可能な状態となり、回動仮固定用ネジ３４を締め付ければ、回動仮固定用締付片３３が、Ｔ字形断面溝３２の開口縁部を固定し、接地体３を仮固定することとなる。
【００３７】
図６の当接体の操作状態の断面図、および図７の当接体を遠隔操作した状態の断面図に示されるように、遠隔操作用ノブ６４を緩め、上方に移動させれば、遠隔操作杆部６３が滑動案内用柱体２のＴ字形断面溝５２に沿って上昇され、遠隔操作駒部６２が当接体６を押し上げ、当接体６の天面角度を変更する。そのまま遠隔操作用ノブ６４を締め付ければ、変更した天面角度に当接体６が仮固定される。再度、遠隔操作用ノブ６４を緩めれば、遠隔操作杆部６３を滑動案内用柱体２のＴ字形断面溝５２に沿って移動可能となり、遠隔操作駒部６２の上下移動を行い、当接体６の天面角度が自在に変更可能となる。
【００３８】
水準器等用仮着金具は、図１０の水準器等用仮着金具の斜視図、および図１１の柱位置割出具に取り付けられる水準器等用仮着金具の正面図に示されるように、柱取付幅調節機構８１の調節締付用ネジ８４，８４を螺解し、移動側挟着片８５を固定側の挟着片８３から、柱位置割出具の例えば据置き側柱体１に対して装着するに充分な距離を確保するよう移動した後、挟着片８３と移動側挟着片８５との間に据置き側柱体１を配置し、その側壁面を平板状部８２に隙間なく接合する。この際、コイルバネ８６，８６の弾性付勢を受ける移動側挟着片８５が、挟着片８３との間に据置き側柱体１を挟み込み、水準器等用仮着金具７の据置き側柱体１への仮取り付け状態を確保し、さらに、調節締付用ネジ８４，８４を締め付け、挟着片８３および移動側挟着片８５の間に据置き側柱体１を強固に挟み込み仮固定を完了する。調節締め付け用ネジ８４，８４を緩めると、据置き側柱体１から離脱可能となる。
【００３９】
また、調節締付用ネジ９４，９４を緩め、移動側挟着片９９後退させ、固定側の挟着片９３との間に水準器７２を配置し、水準器７２の底面を平板状部９２に隙間なく接合させ、コイルバネ９５．９５の復元力によって挟着片９３および移動側挟着片９９の間に仮取り付けし、その後、調節締付用ネジ９４，９４を強固に締め付け、仮固定する。挟着片９３と移動側挟着片９９との間隔を所定範囲内で自在に調節すると、寸法の異なる別の水準器７２を仮固定可能である。
【００４０】
図１２の玄関ポーチなどの建造物迫り出し構造部分の側面図に示される玄関ポーチ部分に、吹き込み防止用の囲いとしてガラス張り施設を設置する場合には、先ず、ガラス張り構造部分の柱を新たに設置する箇所に、図１３の使用状態を示す側面図のように、柱位置割出し具を鉛直状に据置き、水準器等用仮着金具７を介して取着された水準器７２を用い、垂直を確保しながら据置き側柱体１の接地体３の接地面角度を調節し、仮固定した上、当接体６が軒先下面に当接する高さまで丈調節側柱体４を上昇させた後、進退仮固定用ネジ５１，５１を締め付け、丈調節側柱体４を滑動案内用柱体１に仮固定し、さらに、遠隔操作用ノブ６４を上昇させ、当接体６の天面角度を軒先下面に当接するよう回動し、同遠隔操作用ノブ６４を締め付けて当接体６の回動を仮固定し、柱を設置する基礎上や軒下面に柱位置の印を残し、丈寸法および端面角度の夫々を計測した後に取り外し、この計測値に基づいて柱材を切り出し加工した上、残された印に基づいて柱を設置し、図１４の玄関ポーチに設置されたガラス張り施設の側面図に示されるようなガラス張り施設の設置作業が進められる。
【００４１】
また、図８の斜視図に示されるように、柱位置割出し具が、その据置き側柱体１、滑動案内用柱部２および丈調節側柱体４の夫々同一側面に、全長に渡る寸法目盛りが刻設、表示されているものであれば、図１３に示されるように、柱位置割出し具を使用して設置位置を確定することの外に、設置する柱の各部寸法を計測可能となる。
【００４２】
【効  果】
以上のとおり、この発明の玄関ポーチなど建造物迫り出し構造部用柱位置の割出し具によれば、既存の建造物に対する柱の増設に際して必要となる、繁雑で慎重を要する計測、および経験や勘に頼る柱部材の切り出し作業等、設置作業に多大な時間と労力とを必要としてきた従前までの作業に対し、そのような非効率さを解消し、柱の設置位置の決定から柱の各部寸法の採寸に至る一切の作業を正確且つ速やかに行なうことができるものとなることから、経験の浅い作業者でも、従前までのような苦労を伴うことなく正確で効率的な作業を実施可能にするという秀れた特徴が得られるものである。
【００４３】
さらに、この発明の水準器等用仮着金具を組み合わせた割出し具とすれば、割出し具の垂直姿勢の確保が、従前までのように、その都度水準器を側面に押し当てる作業を不要とし、割出し具の立設過程で確認しながら垂直姿勢を実現できるという利点が得られる上、柱取付幅調節機構および各種計測機器取付幅調節機構を並設した仮着金具の場合には、形状、構造の異なる水準器であっても殆ど全てに対応可能とする上、寸法の異なる柱位置割り出し具に対しても取着可能なることから、作業者の使い慣れた水準器の使用を可能にすると共に、複数本の柱位置割り出し具を設置して計測するような場合には、その水準器一台を順次着脱して持ち回りながら全ての柱位置割り出し具の垂直出しをなし得ることになることから、極めて利便性に富んだ割出し具を実現できるという効果を有している上、割出し具への組み合わせ使用を必要としないとき等には、照明器具のような水準器以外の各種機器を簡単に柱へ取り付け可能にして各種作業の作業効率を高めるための取着金具としての応用も可能になる等、極めて汎用性に秀れた特徴も発揮し得るものとなる。
【００４４】
特に、実施例に説明したこの発明を代表する構成からなる玄関ポーチなど建造物迫り出し構造部用柱位置の割出し具は、据置き側柱体１の滑動案内用柱部２に対して丈調節側柱体４を摺動移動させることにより、傾斜した軒先下面の何れの箇所であっても、自在に適応可能に伸縮可能である上、進退仮固定用ネジ５１，５１を締め付けることによって設置位置を決定した際の柱丈寸法をそのまま仮固定可能となっており、施工前に柱設置後のイメージを施工依頼者に確認することもできる外、柱材料の必要寸法を速やかに知ることができるという利点を有し、また、接地体３の底面角度および当接体６の天面角度を自在に変更、仮固定可能な構造となっているので、柱部材の設置前加工に際し、上下端面の角度も正確に加工可能となり、設置後に隙間が生じたり、傾いてしまう等の問題の発生を解消し、隙間や傾きを調整するために行われてきた基礎工事やスペーサーの装着等を不要とし、熟練や勘に頼らずに、良好な設置仕上がりを得ることができると共に、高所にある当接体６を手の届き安い比較的低所に位置する遠隔操作用ノブ６４によって操作可能としたことにより、従前には、梯子を利用する等して頻繁に昇降を繰り返しながら行わざるを得なかった計測作業を、安全且つ迅速に実施できるようにするという秀れた効果を発揮することとなる
【００４５】
更に、図９ないし１１に取り上げた水準器等用仮着金具７を、上記割出し具に使用することにより、水準器７２などの計測機器を押し当てての不安定な計測作業を不要とし、柱位置割り出し具の垂直姿勢を容易に確保できるので、より効率的で正確な計測、採寸が可能となる上、比較的簡単な機構からなる柱取付幅調節機構８１および各種計測機器取付幅調節機構９１を並設したものとして、形状、構造の異なる水準器７２であっても殆ど全てに対応可能とし、さらに寸法の異なる柱位置割り出し具に対しても適用可能になることから、柱位置割り出し具の取扱い、作業性を大幅に高めると共に、柱位置割り出し具やその他の柱への着脱性能および取着強度の面でも信頼性の高いものとなり、利便性に富んだ仮着金具を実現している。
【００４６】
叙述の如く、この発明の玄関ポーチなど建造物迫り出し構造部用柱位置の割出し具、およびそれに使用する水準器等用仮着金具は、その新規な構成によって所期の目的を遍く達成可能とするものであり、しかも製造も容易で、比較的廉価にて製造可能なことから経済性にも秀れる上、玄関ポーチへのガラス張り施設やサンルーム等の設置、あるいは屋内への柱の増設に際する計測作業の効率を大幅に高めることができることから、費用の削減と工期の短縮とを確実に達成可能にするものであり、熟練と勘が求められるインテリア、エクステリア業界はもとより、増改築に携わる建築業界においても高く評価され、広範に渡って利用、普及していくものと予想される。
【図面の簡単な説明】
図面は、この発明の玄関ポーチなど建造物迫り出し構造部用柱位置の割出し具、およびそれに使用する水準器等用仮着金具の技術的思想を具現化した代表的な実施例を示すものである。
【図  １】柱位置の割出し具の構造を示す斜視図である。
【図  ２】分解した据置き側柱体および滑動案内用柱部を示す斜視図である。
【図  ３】丈調節側柱体を分解した柱位置の割出し具を示す斜視図である。
【図  ４】接地体の操作状態を示す断面図である。
【図  ５】接地体が操作された状態を示す断面図である。
【図  ６】当接体を遠隔操作する状態を示す断面図である。
【図  ７】当接体が遠隔操作された状態を示す断面図である。
【図  ８】寸法目盛りを表示した柱位置の割出し具を示す斜視図である。
【図  ９】分解した水準器等用仮着金具を示す斜視図である。
【図  １０】水準器等用仮着金具の構造を示す斜視図である。
【図  １１】水準器等用仮着金具の使用状態を示す正面図である。
【図  １２】玄関ポーチを示す側面図である。
【図  １３】玄関ポーチに柱位置の割出し具を設置した状態を示す側面図である。
【図  １４】玄関ポーチにガラス張り施設を設置した状態を示す側面図である。
【符号の説明】
１      据置き側柱体
２      滑動案内用柱部
３      接  地  体
３１    同  軸着用ネジ（軸支構造）
３２    同  Ｔ字形断面溝
３３    同  回動仮固定用締付片
３４    同  回動仮固定用ネジ
３５    同  長孔
４      丈調節側柱体
４１    同  連結部
５      仮固定機構
５１    同  進退仮固定用ネジ
５２    同  Ｔ字形断面溝（長孔または溝）
５３    同  仮固定用締付片
６      当  接  体
６１    同  遠隔操作機構
６２    同  遠隔操作駒部
６３    同  遠隔操作杆部
６４    同  遠隔操作用ノブ
７      水準器等用仮着金具
７１    同  中間板部
７２    同  水準器
８      柱体装着部
８１    同  柱取付幅調節機構
８２    同  平板状部
８３    同  挟着片
８４    同  調節締付用ネジ
８５    同  移動側挟着片
８６    同  コイルバネ
８７    同  案内軸
８８    同  長孔
８９    同  案内用ネジ
９      計測機器装置部
９１    同  各種計測機器取付幅調節機構
９２    同  平板状部
９３    同  挟着片
９４    同  調節締付用ネジ
９５    同  コイルバネ
９６    同  案内軸
９７    同  長孔
９８    同  案内用ネジ
９９    同  移動側挟着片
【図１】
0004129849.tif 000002
【図２】
0004129849.tif 000003
【図３】
0004129849.tif 000004
【図４】
0004129849.tif 000005
【図５】
0004129849.tif 000006
【図６】
0004129849.tif 000007
【図７】
0004129849.tif 000008
【図８】
0004129849.tif 000009
【図９】
0004129849.tif 000010
【図１０】
0004129849.tif 000011
【図１１】
0004129849.tif 000012
【図１２】
0004129849.tif 000013
【図１３】
0004129849.tif 000014
【図１４】
0004129849.tif 000015